(57)【要約】【要  約】【課  題】    空気の汚染度や外気温、室温などを常時、センシングすると、制御手段の負荷や、消費電力などが大きいため、この制御手段の負荷や、消費電力などを極力小さくする。【解決手段】  空気調和装置は、室内機（１）からの冷媒配管（２）が、建屋の孔（４）を通って屋外に導き出されて、室外機（３）に接続されているとともに、建屋の孔には通風ダクト（２３，２４）が挿入されており、室内機の内部に設けられた換気用の送風装置（２１，２２）が通風ダクトに接続され、制御手段（４６）が、外気温、室温、室内の空気の汚染度などに基づいて前記換気用送風装置を制御する。そして、制御手段は、室温のセンシングを所定の時間間隔で有効に成すとともに、この室温のセンシングが有効でない際に、空気の汚染度のセンシングを行う。【選択図】  図１１
2006170597.tif 000002
【特許請求の範囲】
【請求項１】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続され、制御手段が、外気温、室温、室内の空気の汚染度などに基づいて前記換気用送風装置を制御する空気調和装置であって、
前記制御手段は、室温のセンシングを所定の時間間隔で有効に成すとともに、この室温のセンシングが有効でない際に、空気の汚染度のセンシングを行うことを特徴とする空気調和装置。
【請求項２】
前記空気の汚染度のセンシングは、少なくとも所定の期間、連続して行われることを特徴とする請求項１記載の空気調和装置。
【請求項３】
前記空気の汚染度のセンシングが行われていない期間の略中間時点で室温のセンシングが行われることを特徴とする請求項１または２記載の空気調和装置。
【請求項４】
前記空気の汚染度のセンシング期間は、前記センシングを行っていない期間よりも長いことを特徴とする請求項１，２または３記載の空気調和装置。
【発明の詳細な説明】
【技術分野】
【０００１】
本発明は、空気調和装置に関し、特に、その換気に関する。
【背景技術】
【０００２】
従来、ルームエアコンなどの空気調和装置は一般的には、換気機能を有しておらず、室内の空気が汚れた際などには適宜、人が窓を開けるなどして、外気を取り入れて換気する必要があった。
【０００３】
そこで、従来より、空気調和装置に換気装置を設けたものが提案されている。たとえば特許文献１に記載されているように、給気ダクトと排気ダクトとを設け、この給気ダクトに給気用送風機を、また、排気ダクトに排気用送風機を設けた空気調和装置がある。
【特許文献１】特開２００１−３０４６４５号公報
【発明の開示】
【発明が解決しようとする課題】
【０００４】
ところで、この換気を、室内の空気の汚染度や、外気温、室温に基づいて自動的に行うことが検討されている。この際に、空気の汚染度や外気温、室温などを常時、センシングすることも可能であるが、制御手段の負荷や、消費電力などが増大する場合があった。
【０００５】
解決しようとする問題点は、空気の汚染度や外気温、室温などを常時、センシングすると、制御手段の負荷や、消費電力などが増大することがある点である。
【課題を解決するための手段】
【０００６】
本発明の空気調和装置は、室内機（１）からの冷媒配管（２）が、建屋の孔（４）を通って屋外に導き出されて、室外機（３）に接続されているとともに、前記建屋の孔には通風ダクト（２３，２４）が挿入されており、前記室内機の内部に設けられた換気用の送風装置（２１，２２）が前記通風ダクトに接続され、制御手段（４６）が、外気温、室温、室内の空気の汚染度などに基づいて前記換気用送風装置を制御する。そして、前記制御手段は、室温のセンシングを所定の時間間隔で有効に成すとともに、この室温のセンシングが有効でない際に、空気の汚染度のセンシングを行う。
【０００７】
また、空気の汚染度のセンシングが、少なくとも所定の期間、連続して行われることがある。
【０００８】
さらに、空気の汚染度のセンシングが行われていない期間の略中間時点で、室温のセンシングが行われることがある。
【０００９】
そして、空気の汚染度のセンシング期間は、前記センシングを行っていない期間よりも長いことがある。
【発明の効果】
【００１０】
本発明によれば、制御手段は、室温のセンシングを所定の時間間隔で有効に成すとともに、この室温のセンシングが有効でない際に、空気の汚染度のセンシングを行っているので、空気の汚染度に主体を置いた制御手段と室温のセンシングに主体を置いた制御とを交互に用い誤動作を抑制し制御の安定化を図ることができる。
【発明を実施するための最良の形態】
【００１１】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続され、制御手段が、外気温および室温の温度センシング、ならびに、室内の空気の汚染度のセンシングに基づいて前記換気用送風装置を制御している空気調和装置において、制御の安定性を得るという目的や、制御手段の負荷や、消費電力などを削減するという目的も、制御手段が、温度センシングを所定の時間間隔で行い、かつ、この温度センシング間の時間間隔の間において、温度センシングと時間間隔を有して、空気汚染度センシングを行うことで実現した。
【実施例１】
【００１２】
次に、本発明における空気調和装置の第１実施例について、図１ないし図１１を用いて説明する。図１は本発明における空気調和装置の室内機および室外機の斜視図である。図２は室内機の断面図である。図３は室内機の要部の一部切欠き斜視図である。図４はリモコンの説明図で、（ａ）が正面図、（ｂ）が前面扉を外した状態の正面図である。図５は空気調和装置の制御の説明図で、（ａ）が運転パターンの表、（ｂ）が制御装置の入出力図である。図６は給排気運転時の概略の説明図である。図７はダブル排気時の概略の説明図である。図８は操作部から換気運転モードの指示があった際のフローチャートである。図９は空気汚染センサの検出に基づく自動換気運転の際のフローチャートである。図１０はセンシングのタイムチャートである。図１１はセンシングのフローチャートである。なお、図５（ｂ）においては、換気に関する主な部品のみが記載されており、図示されていない他の部品も制御装置に接続されている。
【００１３】
まず始めに、空気調和装置の全体構成を説明する。
図１において、空気調和装置は、室内機１および、この室内機１と冷媒配管２で接続される室外機３を備えている。室内機１は屋内に設置され、一方、室外機３は屋外に設置されており、冷媒配管２は、建屋に形成された孔４を通って、室内機１と室外機３とを接続している。また、室外機３は、冷媒を圧縮する圧縮機（図示しない）、室外機用熱交換器（図示しない）、冷媒の循環流路を切り換える冷媒流路切換弁（図示しない）および熱交換器用送風機（図示しない）などの機器を具備している。そして、室外機３の運転時には、冷凍サイクルの冷媒が室外機３から暖冷房のために冷媒配管２を介して室内機１に循環している。
【００１４】
図２において、室内機１は、室内機用熱交換器６および循環用送風機７を具備している。室内機１の前面には、可動な前面パネル８が設けられ、この前面パネル８の後側に、空気吸込口１１が設けられている。室内機１の稼働中は、前面パネル８は前側に移動して、空気吸込口１１から室内の空気を室内機１内に取り込むことが可能となる。また、室内機１の停止時には、前面パネル８は後側すなわち空気吸込口１１側に移動して見栄えを良好にしている。室内機１の下側には、空気吹出口１２が設けられている。空気吸込口１１と室内機用熱交換器６との間には、フィルタ１３が設けられている。また、室内機用熱交換器６の上側には、紫外線ランプ装置１４が配置されている。
【００１５】
そして、室内機１の循環用送風機７が稼働すると、室内の空気が、空気吸込口１１から吸い込まれ、フィルタ１３で濾過された後に、室内機用熱交換器６で熱交換され、空気吹出口１２から室内に吹き出している。この様にして、循環用送風機７で室内の空気を循環させながら、この空気を室内機用熱交換器６で熱交換している。
【００１６】
また、空気吹出口１２には、空気の吹き出し方向を変更するための、ルーバー１６，１７が設けられている。左右動ルーバー１６は、空気の吹き出しの左右方向の向きを変え、上下動ルーバー１７は、空気の吹き出しの上下方向の向きを変える。
【００１７】
図３において、室内機１内の端部には、第１送風装置２１および第２送風装置２２が設けられている。そして、図１および図６において、各送風装置２１，２２は、通風ダクトである通風管２３，２４が接続され、この通風管２３，２４が、冷媒配管２と同様にして、建屋に形成された孔４を通って、屋外に導かれ、外気と連通している。
【００１８】
図６において、第１送風装置２１は給排両用送風装置で、第１送風機３１、吸込側ダンパー３２および吐出側ダンパー３３を具備している。第１送風機３１は、十分な風量を得ることができるシロッコファンであり、稼働時には、一定方向に空気を流す。また、図６および図７に図示するように、第１送風機３１の吸込側は、吸込側ダンパー３２により、第１通風管２３または室内機１内の空間の何れかに選択的に接続される。一方、第１送風機３１の吐出側は、吐出側ダンパー３３により、第１通風管２３または室内機１内の空間の何れかに選択的に接続される。この様に、ダンパー３２，３３は、空気の流れを切り換える風路切換手段として機能する。そして、この第１送風装置２１が給気運転の場合には、図６に図示するように、各ダンパー３２，３３は給気切換位置に切り換わる。すなわち、吸込側ダンパー３２は第１送風機３１の吸込側を第１通風管２３に接続するとともに、吐出側ダンパー３３は第１送風機３１の吐出側を室内機１内の空間に接続する。一方、第１送風装置２１が排気運転の場合には、図７に図示するように、各ダンパー３２，３３は排気切換位置に切り換わる。すなわち、吸込側ダンパー３２は第１送風機３１の吸込側を室内機１内の空間に接続するとともに、吐出側ダンパー３３は第１送風機３１の吐出側を第１通風管２３に接続する。
【００１９】
第２送風装置２２は排気専用送風装置で、第２送風機４１を具備しているが、第１送風装置２１と異なり、風路切換手段であるダンパーは具備していない。第２送風機４１は、第１送風機３１と同様にシロッコファンであり、稼働時には、一定方向に空気を流す。図６および図７に図示するように、第２送風機４１は、その吸込側が室内機１内の空間に接続され、また、吐出側は第２通風管２４に接続される。この様に、第１送風装置２１が給排両用送風装置で、第２送風装置２２が排気専用送風装置であるので、図５（ａ）に示すように、この第１実施例の空気調和装置の換気パターンには、給排気運転、単独給気運転、単独排気運転およびダブル排気運転の４種類ある。
【００２０】
空気調和装置の制御手段である制御装置４６は、室内機１内のマイコンなどで構成され、空気調和装置の運転を制御している。そして、特に換気に関して、図５（ｂ）に図示するように、制御装置４６には、室内機用熱交換器６付近に配置されて二酸化炭素ガスの濃度を検出するＣＯ２センサ４７、室内機用熱交換器６付近に配置されて煙草の煙の濃度を検出するガスセンサ４８、操作部としてのリモコン４９、外気温を検出する外気温センサ５１、および、室温を検出する室温センサ５３からの信号が入力される。ＣＯ２センサ４７およびガスセンサ４８は、空気の汚染を検出する空気汚染センサとして機能している。また、制御装置４６から、第１送風装置２１の第１送風機３１、ダンパー３２，３３および第２送風装置２２の第２送風機４１などに駆動信号が出力される。さらに、制御装置４６には、その他、室内機１の各種機器および室外機３の各種機器などが入力や出力可能に接続されている。
【００２１】
リモコン４９は、図４に図示するように、表示部６１および、開閉可能な前面扉６２を具備している。そして、各種の操作ボタン６３が、前面扉６２やリモコン４９の本体に複数設けられている。換気に関する操作ボタンである換気切換ボタン６３ａおよび換気風量ボタン６３ｂは、図４（ｂ）に図示するように、前面扉６２を開けると露出し、操作可能となる。また、空気の汚染度に応じて、自動的に換気させる操作ボタンである換気空清ボタン６３ｃは、図４（ａ）に図示するように、前面扉６２に設けられている。換気切換ボタン６３ａを押すと、順次、給気および排気の両者を行う給排気運転、給気のみを行う給気運転および、排気のみを行う排気運転を室内機１本体の制御装置４６に指示することができるとともに、その換気運転モードが表示部６１に表示される。また、換気風量ボタン６３ｂを押すと、順次、換気風量の指示を強、中、弱にすることができ、その指示が室内機１本体の制御装置４６に入力される。そして、リモコン４９の本体には、手動で暖房運転を指示するための暖房ボタン６３ｄや、手動で冷房運転を指示するための冷房ボタン６３ｅが設けられている。
【００２２】
次に、換気運転モードが指示された際の運転のフローを、図８のフローチャートに基づいて説明する。
ステップ１において、換気切換ボタン６３ａが押される毎に、給排気運転、給気運転、排気運転に切り換わり、この指示がリモコン４９から制御装置４６に行く。また、換気風量ボタン６３ｂが押される度に、指示される風量が強、中、弱に切り換わり、この指示もリモコン４９から制御装置４６に行く。風量の調整は送風機３１，４１の回転数を変えることおよび、稼働される送風機３１，４１の個数（すなわち、単独かダブルか）で行われる。そして、制御装置４６は、排気運転で風量が中および弱の場合には単独排気を行い、一方、排気運転で風量が強の場合にはダブル排気を行う。なお、この第１実施例の場合には、給気運転は、ダブル給気は行えず、単独給気のみが行われる。
【００２３】
制御装置４６は、給排気運転の場合にはステップ２に行き、単独給気の場合にはステップ５に行き、単独排気の場合にはステップ８に行き、ダブル排気の場合にはステップ１１に行く。
【００２４】
ステップ２において、制御装置４６はダンパー３２，３３に給気切換位置に切り換わるように駆動信号を出力する。なお、ダンパー３２，３３が既に給気切換位置にある場合には、制御装置４６はダンパー３２，３３をその位置に維持させる。なお、制御装置４６から信号を出力する前に、指示すべき状態にある場合にはその状態を維持させることは当然であるので、以下はその記載を省略する。そして、ステップ３に行く。
【００２５】
ステップ３において、制御装置４６は第１送風機３１に稼働信号を出力し、第１送風機３１を稼働させる。すると、給排両用送風装置である第１送風装置２１が、給気運転を行う。そして、ステップ４に行く。
【００２６】
ステップ４において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００２７】
そして、ステップ１において単独給気の場合には、ステップ５に行く。ステップ５および６において、ステップ２および３と同様にして、制御装置４６は、給排両用送風装置である第１送風装置２１を、給気運転させる。そして、ステップ７に行く。
【００２８】
ステップ７において、制御装置４６は排気専用送風装置である第２送風装置２２を停止し、ステップ１に戻り、換気運転モードが変更されるまで、その状態を維持する。
【００２９】
また、ステップ１において単独排気の場合にはステップ８に行く。ステップ８において、制御装置４６はダンパー３２，３３に信号を出力せずに、ステップ９に行く。
【００３０】
ステップ９において、制御装置４６は第１送風機３１に停止信号を出力し、第１送風機３１を停止させる。すると、給排両用送風装置である第１送風装置２１が、停止する。そして、ステップ１０に行く。
【００３１】
ステップ１０において、制御装置４６は排気専用送風装置である第２送風装置２２に稼働信号を出力し、第２送風装置２２を稼働させて、ステップ１に戻る。そして、再度、換気運転モードが変更されるまで、その状態を維持する。
【００３２】
そして、ステップ１においてダブル排気の場合にはステップ１１に行く。ステップ１１において、制御装置４６はダンパー３２，３３に排気切換位置に切り換わるように駆動信号を出力する。そして、ステップ１２に行く。
【００３３】
ステップ１２において、制御装置４６は第１送風機３１に稼働信号を出力し、第１送風機３１を稼働させる。すると、給排両用送風装置である第１送風装置２１が、排気運転を行う。そして、ステップ１３に行く。
【００３４】
ステップ１３において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００３５】
次に、ＣＯ２センサ４７やガスセンサ４８などの空気汚染センサの検出した空気汚染度に基づいて行われる換気運転のフローを、図９のフローチャートに基づいて説明する。
【００３６】
ステップ２０において、リモコン４９の換気空清ボタン６３ｃが押されると、換気空気清浄運転（すなわち、空気汚染度に基づく自動換気運転）の指示信号が制御装置４６に送信され、換気空気清浄運転が開始する。そして、ステップ２１に行く。
【００３７】
ステップ２１において、ＣＯ２センサ４７やガスセンサ４８の検出値である空気汚染度が制御装置４６に入力される。そして、ステップ２２に行く。ステップ２２において、制御装置４６はその空気汚染度が、予め設定されている高位設定値および中位設定値と比較して、高、中、低を決定し、高の場合にはステップ２３に行き、中の場合にはステップ２４に行き、低の場合にはステップ２５に行く。
【００３８】
そして、ステップ２３において、制御装置４６は、前述のステップ１１〜１３を実行し、ダブル排気運転を行う。そして、ステップ２１に戻り、空気汚染度が高以外になるまで、その状態を維持する。
【００３９】
また、ステップ２４において、制御装置４６は、前述のステップ８〜１０を実行し、単独排気運転を行う。そして、ステップ２１に戻り、空気汚染度が中以外になるまで、その状態を維持する。
【００４０】
さらに、ステップ２５において、制御装置４６は、送風装置２１，２２に停止信号を出力し、送風装置２１，２２を停止させる。そして、ステップ２１に戻り、空気汚染度が低以外になるまで、その停止状態を維持する。
【００４１】
この様にして、空気汚染度が高の場合にはダブル排気運転を、また、中の場合には単独排気運転を行い、さらに、低の場合には排気運転を停止させる。
【００４２】
ところで、空気調和装置は、外気の導入により、冷暖房が促進される時がある。この様な場合には、自動的に、換気を行うことがエネルギー効率上好ましい。そこで、冷房時に、設定温度、室温および外気温の順で温度が低く、かつ、室温と外気温との温度差が所定の範囲内の際には、換気を自動的に行っている。また、暖房時に、設定温度、室温および外気温の順で温度が高く、かつ、外気温と室温との温度差が所定の範囲内の際にも、換気を自動的に行っている。この室温と外気温との温度差の下限は、あまり温度差が小さいと、外気を導入する意味がないため設定されており、また、室温と外気温との温度差の上限は、あまり温度差が大きいと、不用意に室温が急変する可能性があるため設定されている。
【００４３】
そして、制御装置４６は、外気温センサ５１の外気温および室温センサ５３の室温の温度センシング、ならびに、空気汚染センサ４７，４８の室内の空気の汚染度のセンシングに基づいて第１送風装置２１および第２送風装置２２を制御する。このセンシングのフローを、図１１のフローチャートに基づいて説明する。
【００４４】
ステップ３０において、空気調和装置の運転が開始すると、ステップ３１に行き、所定の期間（すなわち、安定化期間、たとえば約２分）の間、換気運転が行われる。そして、ステップ３２に行く。
【００４５】
ステップ３２に行き、センシング用のタイマがカウントを開始する。そして、ステップ３３に行く。ステップ３３において、制御装置４６は、外気温センサ５１および室温センサ５３から外気温および室温を入手して温度センシングを行い、ステップ３４に行く。
【００４６】
ステップ３４において、制御装置４６は、換気が冷暖房を促進するか否かを判定する。より具体的には、冷房時には、設定温度、室温および外気温の順で温度が低く、かつ、室温と外気温との温度差が所定の範囲内であるかを判定し、また、暖房時には、設定温度、室温および外気温の順で温度が高く、かつ、外気温と室温との温度差が所定の範囲内であるかを判定する。そして、促進する場合にはステップ３５に行き、温度換気フラグをＯＮにして、ステップ３７に行く。一方、促進しない場合にはステップ３６に行き、温度換気フラグをＯＦＦにして、ステップ３７に行く。
【００４７】
ステップ３７において、制御装置４６は、温度換気フラグおよび汚染換気フラグの何れか一方がＯＮの場合には、送風装置２１，２２に稼働信号を出力して換気を行う。また、温度換気フラグおよび汚染換気フラグの両者がＯＦＦの場合には、送風装置２１，２２に停止信号を出力して換気を停止する。なお、初期値として、汚染換気フラグはＯＮとなっているので、最初は換気を行っている。また、送風装置２１，２２の運転モードは、汚染換気フラグがＯＮの場合は、図９のフローチャートに基づいて決定される。汚染換気フラグがＯＦＦで、温度換気フラグがＯＮの場合は、単独吸気モードとなる。そして、ステップ３８に行く。
【００４８】
ステップ３８において、前側休止期間（たとえば約１分）の間待機し、その後、ステップ３９に行く。ステップ３９において、制御装置４６は、空気汚染センサ４７，４８から室内の空気の汚染度を入手して空気汚染度センシングを行い、ステップ４０に行く。
【００４９】
ステップ４０において、制御装置４６は、空気の汚染度に基づいて換気が必要か否かを判定する。そして、換気が必要な場合にはステップ４１に行き、汚染換気フラグをＯＮにして、ステップ４３に行く。一方、換気が不要な場合にはステップ４２に行き、汚染換気フラグをＯＦＦにして、ステップ４３に行く。
【００５０】
ステップ４３において、制御装置４６は、温度換気フラグおよび汚染換気フラグの何れか一方がＯＮの場合には、送風装置２１，２２に稼働信号を出力して換気を行う。また、温度換気フラグおよび汚染換気フラグの両者がＯＦＦの場合には、送風装置２１，２２に停止信号を出力して換気を停止する。そして、ステップ４４に行く。
【００５１】
ステップ４４において、制御装置４６は、ステップ３９の空気汚染度センシングの開始からの所定の期間である空気汚染度センシング期間（たとえば、約８分）が経過したかを判断し、経過していない場合には、ステップ３９に戻る。一方、経過した場合には、ステップ４５に行く。
【００５２】
ステップ４５において、後側休止期間（たとえば約１分）の間待機し、その後、ステップ４６に行く。そして、ステップ４６において、センシング用のタイマをリセットして、ステップ３２に戻る。
【００５３】
この様にして、図１０のタイムチャートに示すように、安定化時間の経過後は、温度センシングポイント、前側休止期間、空気汚染度センシング期間、後側休止期間、ついで、温度センシングポイントと順次繰り返す。すなわち、外気温および室温の温度センシングが、所定の時間間隔毎に１回行われ、この温度センシングの間の時間間隔の間において、温度センシングと時間間隔を有して、空気汚染度センシングが行われている。そして、この空気汚染度センシングは、温度センシング間の時間間隔の間において、所定の空気汚染度センシング期間の間、連続的に行われている。なお、温度センシングは常に連続して行い、このセンシング時点の値を有効な値としても同等の制御を得ることができる。
【００５４】
この様にして、制御手段として制御装置は、１）温度センシングを所定の時間間隔で行う温度センシング手段、２）温度センシング間の時間間隔の間において、温度センシングと時間間隔を有して、空気汚染度センシングを行う空気汚染度センシング手段、および３）上記センシング手段のデータに基づいて、換気用送風装置を制御する手段などを具備している。
【００５５】
そして、制御手段は、上記手段以外にも、実行される各工程に対応して各工程を実行する手段を具備している。また、上記手段を全て具備する必要は必ずしもない。
【実施例２】
【００５６】
次に、本発明における空気調和装置の第２実施例について説明する。図１２は第２実施例の空気調和装置の制御の運転パターンの表である。図１３はダブル給気時の概略の説明図である。なお、この第２実施例の説明において、前記第１実施例の構成要素に対応する構成要素には同一符号を付して、その詳細な説明は省略する。
【００５７】
前述の第１実施例では第２送風装置２２は排気専用送風装置であるが、第２実施例では、この第２送風装置２２に代えて、第２送風装置７０が設けられている。第２送風装置７０は、第１送風装置２１と同じ給排両用送風装置で、第２送風機７１、吸込側ダンパー７２および吐出側ダンパー７３を具備している。この第２送風機７１、吸込側ダンパー７２および吐出側ダンパー７３は、第１送風装置２１の第１送風機３１、吸込側ダンパー３２および吐出側ダンパー３３と同じ構造で、同じ働きをしており、第２送風装置７０は、給気および排気の両者を行うことができる。したがって、第２実施例では、図１２に示すように、ダブル給気運転を行うことができる。
【００５８】
次に、この第２実施例の空気調和装置において、換気運転モードが指示された際の運転のフローを説明する。なお、追加または修正されるステップのみを記載する。図８のステップ１において、給気運転時に、制御装置４６は、風量が中および弱の場合には単独給気を行い、一方、風量が強の場合にはダブル給気を行う。そして、ダブル給気の際には、図８に図示するフローに下記ステップ１４〜１６（図示は省略）が追加される。第１送風装置２１を給気運転させる（ステップ１４）とともに、ダンパー７２，７３を給気切換位置にし（ステップ１５）、第２送風機７１を稼働させる（ステップ１６）。すると、図１３に図示するように、第１送風装置２１および第２送風装置７０の両者が給気運転する。
【００５９】
また、ステップ４，７，１０，１３は、第２送風装置７０は給排両用送風装置であるので、「排気専用装置」の表示は「給排両用送風装置」となり、また、「稼働」の表示は「排気運転」となる。そして、第２送風装置７０を排気運転させるフローは、第１送風装置２１を排気運転させるフロー（ステップ１１，１２）と同じであり、ダンパー７２，７３を排気切換位置にし、第２送風機７１を稼働させる。
【００６０】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）送風機はシロッコファンであることが好ましいが、他の形式の送風機であることも可能である。
【００６１】
（２）各フローチャートのステップの順序は適宜変更可能である。
（３）制御手段はマイコンで構成されているが、それ以外の構成でも可能である。
【００６２】
（４）冷媒配管２と通風管２３，２４は、建屋の同じ孔に挿入されることも可能であるし、また、各々別の孔に挿入されることも可能である。なお、建屋の空気調和装置用の孔には、冷媒配管２や通風管２３，２４以外に、ドレンパイプ、電力線や通信線などを挿入することも可能である。
（５）空気汚染度に基づく自動換気の際に、単独排気運転やダブル排気運転を行っているが、単独給気運転やダブル給気運転を行うことも可能である。
【００６３】
（６）空気汚染センサは、室内の空気の汚れを検出することができるならば、適宜選択可能で、ＣＯ２センサやガスセンサ以外のセンサでも可能である。
（７）空気汚染度に基づく自動換気運転の際に、送風量を単独排気運転やダブル排気運転で切り換えているが、送風機の回転数を変更することで、空気汚染度に応じて送風量を調整することも可能である。たとえば、給排気運転、単独排気運転または単独給気運転などで、制御装置により、空気汚染度に応じて、送風機の回転数を変更することも可能である。
【００６４】
（８）時間間隔の具体的な値は、適宜変更可能である。
（９）前側休止期間および後側休止期間に他のセンシングを行うことも可能である。また、前後の休止期間の値は同じであるが、異ならしめることも可能である。
【００６５】
（１０）温度センシングおよび空気汚染度センシングにより行われる送風装置２１，２２の具体的制御は、適宜変更可能である。たとえば、ステップ３４において、温度センシングに基づいて、冷房時には、設定温度、室温および外気温の順で温度が低く、かつ、室温と外気温との温度差が所定の範囲内であるかを判定し、また、暖房時には、設定温度、室温および外気温の順で温度が高く、かつ、外気温と室温との温度差が所定の範囲内であるかを判定しているが、冷房時のみ判定を行うことも可能であるし、また、温度差の上限や下限を無くしたりすることも可能である。
【産業上の利用可能性】
【００６６】
換気用送風装置を制御する制御手段が、室温のセンシングを所定の時間間隔で有効に成すとともに、この室温のセンシングが有効でない際に、空気の汚染度のセンシングを行うことにより、空気の汚染度に主体を置いた制御手段と室温のセンシングに主体を置いた制御とを交互に用い誤動作を抑制し制御の安定化を図ることができる。したがって、空気調和とともに換気を行う空気調和装置に適用することが最適である。
【図面の簡単な説明】
【００６７】
【図１】図１は本発明における空気調和装置の室内機および室外機の斜視図である。
【図２】図２は室内機の断面図である。
【図３】図３は室内機の要部の一部切欠き斜視図である。
【図４】図４はリモコンの説明図で、（ａ）が正面図、（ｂ）が前面扉を外した状態の正面図である。
【図５】図５は空気調和装置の制御の説明図で、（ａ）が運転パターンの表、（ｂ）が制御装置の入出力図である。
【図６】図６は給排気運転時の概略の説明図である。
【図７】図７はダブル排気時の概略の説明図である。
【図８】図８は操作部から換気運転モードの指示があった際のフローチャートである。
【図９】図９は空気汚染センサの検出に基づく自動換気運転の際のフローチャートである。
【図１０】図１０はセンシングのタイムチャートである。
【図１１】図１１はセンシングのフローチャートである。
【図１２】図１２は第２実施例の空気調和装置の制御の運転パターンの表である。
【図１３】図１３はダブル給気時の概略の説明図である。
【符号の説明】
【００６８】
１  室内機
２  冷媒配管
３  室外機
４  建屋の孔
２１  第１送風装置
２２  第２送風装置
２３  第１通風管（通風ダクト）
２４  第２通風管（通風ダクト）
４６  制御装置（制御手段）
４７  ＣＯ２センサ（空気汚染センサ）
４８  ガスセンサ（空気汚染センサ）
５１  外気温センサ
５３  室温センサ
７０  第２送風装置
【図１】
2006170597.tif 000003
【図２】
2006170597.tif 000004
【図３】
2006170597.tif 000005
【図４】
2006170597.tif 000006
【図５】
2006170597.tif 000007
【図６】
2006170597.tif 000008
【図７】
2006170597.tif 000009
【図８】
2006170597.tif 000010
【図９】
2006170597.tif 000011
【図１０】
2006170597.tif 000012
【図１１】
2006170597.tif 000013
【図１２】
2006170597.tif 000014
【図１３】
2006170597.tif 000015